(57)【要約】【課題】手洗い性を向上させることができると共に、水撥ねを抑制することができる手洗器付き洗浄水タンク装置を備えた水洗大便器を提供する。【解決手段】本発明の手洗器付き洗浄水タンク装置１は、手洗器２８を有し、この手洗器は、ボウル面Ｂを形成すると共に底部に手洗排水口４０を形成するボウル部３８と、このボウル部よりも後方に位置する基端３８ａから上方且つ前方に延びた後、その先端３８ｂに形成された手洗吐水口３６からボウル面に吐水可能なスパウト３０と、を備え、ボウル部の前側上縁は、スパウトの基端よりも低い位置に設定されており、ボウル面は、手洗排水口の中心Ｏ１よりも前側領域に形成される前側ボウル面Ｂ１を備えており、手洗吐水口は、その中心軸線Ｃ２が前側ボウル面で交わるように設定されて、手洗吐水口から前方且つ下方へ吐水された洗浄水が前側ボウル面に着水可能にするものである。【選択図】図４
2018109272.tif 000002
【特許請求の範囲】
【請求項１】
手洗器付き洗浄水タンク装置を備えた水洗大便器であって、
便器本体と、
この便器本体の上面に回動可能に取り付けられた便座及び便蓋と、
上記便器本体の上面における上記便座及び上記便蓋の後方に設けられて、給水源から供給される洗浄水を貯水する洗浄水タンクと、
この洗浄水タンクの上部に設けられて、上記給水源から上記洗浄水タンクに供給された洗浄水の一部を利用して手洗いを可能にする手洗器と、を有し、
上記手洗器は、ボウル面を形成すると共に底部に排水口を形成するボウル部と、このボウル部よりも後方に位置する基端から上方且つ前方に延びた後、その先端に形成された吐水口から上記ボウル面に吐水可能なスパウトと、を備え、
上記ボウル部の前側上縁は、上記スパウトの基端よりも低い位置に設定されており、
上記ボウル面は、上記排水口の中心よりも前側領域に形成される前側ボウル面を備えており、上記吐水口は、その中心軸線が上記前側ボウル面で交わるように設定されて、上記吐水口から前方且つ下方へ吐水された洗浄水が上記前側ボウル面に着水可能にするものであることを特徴とする水洗大便器。
【請求項２】
上記スパウトの吐水口は、開蓋状態の上記便蓋の上端位置よりも上方に位置している請求項１記載の水洗大便器。
【請求項３】
上記排水口は、上記ボウル部の底部の左右方向の中心に形成されていると共に、上記吐水口は、上記排水口の中心よりも後方且つ上方に位置しており、
上記ボウル面は、さらに、上記排水口の中心よりも後側領域に形成される後側ボウル面を備えており、
上記ボウル部は、平面視における上記前側ボウル面の大きさが上記後側ボウル面の大きさよりも大きくなるように設定されている請求項１又は２に記載の水洗大便器。
【請求項４】
上記前側ボウル面は、上記ボウル部の前側上縁から下方且つ後方の上記排水口まで第１曲面を形成し、
上記後側ボウル面は、上記ボウル部の後側上縁から下方且つ前方に延びた後壁面を形成すると共に、この後壁面の下端から上記排水口まで第２曲面を形成し、
上記第１曲面の立面視における曲率半径は、上記第２曲面の立面視における曲率半径よりも大きく設定されている請求項３記載の水洗大便器。
【請求項５】
さらに、上記吐水口から吐水される洗浄水の流量について前側ボウル面に着水可能な流量から上記排水口内に直接的に着水可能な流量に調整可能な流量調整手段を有する請求項１乃至４の何れか１項に記載の水洗大便器。
【請求項６】
上記洗浄水タンクは、陶器製の外装タンクと、この外装タンク内に収容されて上記給水源から供給される洗浄水を貯水する内装タンクと、を備えており、
上記手洗器は、上記外装タンクの上部に設けられた陶器製の手洗器であり、
上記手洗器の排水口は、その断面の全域に亘って開放されて上記ボウル部内の洗浄水を上記内装タンク内に排出可能にするものであり、
上記流量調整手段は、上記給水源と上記内装タンクとを接続する給水路に設けられた止水栓であり、この止水栓は、その開度が調整されることにより、上記給水路から上記内装タンクを介して上記スパウトに供給される洗浄水の流量を調整可能にするものである請求項５記載の水洗大便器。
【請求項７】
上記スパウトは、その基端から先端までの上下方向の寸法が、その前後方向の寸法よりも大きく設定されている請求項１乃至６の何れか１項に記載の水洗大便器。
【請求項８】
上記手洗器は、さらに、上記ボウル部の後側上縁の左右方向中央の後方側に上記スパウトの基端が取り付けられる取付面を形成し、
上記取付面は、その後縁から前縁に向かって所定の傾斜角度で下り傾斜する傾斜面を形成し、上記ボウル部の前側上縁は、上記取付面の前端から前方側に上記所定の傾斜角度で下り傾斜した延長面上に位置している請求項１乃至７の何れか１項に記載の水洗大便器。
【請求項９】
上記排水口から上記取付面の前端までの上記ボウル部の上下方向の寸法は、上記取付面の前端から上記スパウトの吐水口までの上下方向の寸法とほぼ同一に設定されている請求項請求項８記載の水洗大便器。
【請求項１０】
上記吐水口には、この吐水口から吐水される洗浄水を整流可能にする整流部が設けられ、この整流部は、上記吐水口の下流端よりも上流側に配置されている請求項１乃至９の何れか１項に記載の水洗大便器。
【発明の詳細な説明】
【技術分野】
【０００１】
本発明は、水洗大便器に係り、特に、手洗器付き洗浄水タンク装置を備えた水洗大便器に関する。
【背景技術】
【０００２】
従来、手洗器付き洗浄水タンク装置を備えた水洗大便器として、例えば、特許文献１に記載されているように、洗浄水タンクの上部に手洗器が設けられ、この手洗い器のボウル部の後方に設けられたスパウトの吐水口からボウル部の底面の排水口内に向けて吐水する手洗器付き洗浄水タンク装置を備えたものが知られている。
このような特許文献１に記載されている従来の手洗器付き洗浄水タンクおいては、ボウル部内の洗浄水が溢れる上限水位を規定する、いわゆる、「溢れ縁」と呼ばれるボウル面の前側上縁について、手洗器で手洗いをし易くして手洗い性を向上させるために、スパウトの基端位置よりも低く設定されている。
また、上述した特許文献１に記載されている従来の手洗器付き洗浄水タンク装置を備えた水洗大便器においては、ボウル部の底面の排水口の下方には、水受け部が一体に形成されており、スパウトの吐水口から吐水されて排水口内に直接的に流入した洗浄水が水受け部から洗浄水タンク内に流れ込むようになっている。
さらに、特許文献２に記載されている手洗器においては、水洗大便器の洗浄水タンクの上部に設けられるものではないが、水栓装置が設置される手洗い器の設置部に水溜りが生ずることを抑制するために、水栓装置の設置部の設置面を水平に設定した水平部とし、この水平部に隣接して水受け部に向かって傾斜した傾斜部を設けたものも知られている。
【先行技術文献】
【特許文献】
【０００３】
【特許文献１】特開２００３−１９３５３０号公報
【特許文献２】特開２０１６−３４４３８号公報
【発明の概要】
【発明が解決しようとする課題】
【０００４】
しかしながら、上述した特許文献１に記載されている従来の手洗器付き洗浄水タンク装置を備えた水洗大便器においては、例えば、スパウトの吐水口から洗浄水を高水圧下で吐水さした場合、洗浄水が排水口内に直接的に勢いよく流入して水受け部に衝突するため、この衝突後にボウル部内に撥ね返った洗浄水がボウル部の外部に飛散する恐れがあるという問題がある。
特に、手洗器の手洗い性を向上させるために、ボウル面の前側上縁等の溢れ縁を低く設定する程、ボウル面から外部への水撥ねが多くなるという問題もある。
また、手洗器付きの洗浄タンクは、水洗大便器の便蓋が回動可能に取り付けられている便器本体の上面後方に設けられているため、ボウル面の前側上縁等の溢れ縁を低く設定する程、開蓋状態の便蓋が溢れ縁にも干渉し、手洗器に手を挿入し難くなり、手洗い性が低下するという問題もある。
したがって、手洗器付き洗浄水タンク装置を備えた水洗大便器において、いかに手洗器における手洗い性を向上しつつ、水撥ねを抑制するかかが要請された課題となっている。
【０００５】
そこで、本発明は、上述した従来技術の問題や要請された課題を解決するためになされたものであり、手洗い性を向上させることができると共に、水撥ねを抑制することができる手洗器付き洗浄水タンク装置を備えた水洗大便器を提供することを目的としている。
【課題を解決するための手段】
【０００６】
上述した課題を解説するために、本発明は、手洗器付き洗浄水タンク装置を備えた水洗大便器であって、便器本体と、この便器本体の上面に回動可能に取り付けられた便座及び便蓋と、上記便器本体の上面における上記便座及び上記便蓋の後方に設けられて、給水源から供給される洗浄水を貯水する洗浄水タンクと、この洗浄水タンクの上部に設けられて、上記給水源から上記洗浄水タンクに供給された洗浄水の一部を利用して手洗いを可能にする手洗器と、を有し、上記手洗器は、ボウル面を形成すると共に底部に排水口を形成するボウル部と、このボウル部よりも後方に位置する基端から上方且つ前方に延びた後、その先端に形成された吐水口から上記ボウル面に吐水可能なスパウトと、を備え、上記ボウル部の前側上縁は、上記スパウトの基端よりも低い位置に設定されており、上記ボウル面は、上記排水口の中心よりも前側領域に形成される前側ボウル面を備えており、上記吐水口は、その中心軸線が上記前側ボウル面で交わるように設定されて、上記吐水口から前方且つ下方へ吐水された洗浄水が上記前側ボウル面に着水可能にするものであることを特徴としている。
このように構成された本発明においては、手洗器のボウル部の前側上縁が、スパウトの基端よりも低い位置に設定されていることにより、洗浄水タンクよりも前方の使用者からボウル部内に手を挿入し易いため、手洗い性を向上させることができる。
また、スパウトの吐水口の中心軸線が前側ボウル面で交わるように設定されていることにより、吐水口から前方且つ下方へ吐水された洗浄水が、ボウル面における排水口の中心よりも前側領域に形成される前側ボウル面に着水可能であるため、ボウル部内に挿入した手が洗い易く、手洗い性を向上させることができる。
さらに、吐水口から前方且つ下方へ吐水された洗浄水について、ボウル部の上限水位を定めるボウル部の前側上縁（いわゆる「溢れ縁」）に近い前側ボウル面に着水させることにより、この着水後の水撥ねがボウル部の前側上縁を乗り越えることを効果的に抑制することができる。
特に、スパウトに供給される洗浄水の水圧が低い環境下であっても、吐水がボウル面の排水口の中心よりも後側の領域に着水することを抑制することができるため、ボウル部の前側上縁を乗り越えるような水撥ねが生ずることを確実に抑制することができる。
【０００７】
本発明において、好ましくは、上記スパウトの吐水口は、開蓋状態の上記便蓋の上端位置よりも上方に位置している。
このように構成された本発明においては、スパウトの吐水口が開蓋状態の便蓋の上端位置よりも上方に位置しているため、便蓋が開蓋状態であっても、洗浄水タンクよりも前方の使用者からボウル部内に手を挿入し易いため、効果的に手洗い性を向上させることができる。
【０００８】
本発明において、好ましくは、上記排水口は、上記ボウル部の底部の左右方向の中心に形成されていると共に、上記吐水口は、上記排水口の中心よりも後方且つ上方に位置しており、上記ボウル面は、さらに、上記排水口の中心よりも後側領域に形成される後側ボウル面を備えており、上記ボウル部は、平面視における上記前側ボウル面の大きさが上記後側ボウル面の大きさよりも大きくなるように設定されている。
このように構成された本発明においては、排水口がボウル部の底部の左右方向の中心に形成されていると共に、吐水口が排水口の中心よりも後方且つ上方に位置しており、さらに、ボウル部の平面視において、前側ボウル面の大きさが後側ボウル面の大きさよりも大きくなるように設定されているため、洗浄水タンクよりも前方の使用者からボウル部内に手を挿入し易く、より効果的に手洗い性を向上させることができる。
また、吐水口から吐水された洗浄水を前側ボウル面に確実に着水させることができるため、ボウル部の前側上縁を乗り越えるような水撥ねが生ずることを効果的に抑制することができる。
【０００９】
本発明において、好ましくは、上記前側ボウル面は、上記ボウル部の前側上縁から下方且つ後方の上記排水口まで第１曲面を形成し、上記後側ボウル面は、上記ボウル部の後側上縁から下方且つ前方に延びた後壁面を形成すると共に、この後壁面の下端から上記排水口まで第２曲面を形成し、上記第１曲面の立面視における曲率半径は、上記第２曲面の立面視における曲率半径よりも大きく設定されている。
このように構成された本発明においては、前側ボウル面がボウル部の前側上縁から下方且つ後方の排水口まで第１曲面を形成し、後側ボウル面がボウル部の後側上縁から下方且つ前方に延びた後壁面を形成すると共に、この後壁面の下端から排水口まで第２曲面を形成し、第１曲面の立面視における曲率半径が第２曲面の立面視における曲率半径よりも大きく設定されているため、吐水口から吐水された洗浄水が前側ボウル面に着水した際に、ボウル部の前側上縁を乗り越えるような水撥ねが生ずることをより効果的に抑制することができる。
【００１０】
本発明において、好ましくは、さらに、上記吐水口から吐水される洗浄水の流量について前側ボウル面に着水可能な流量から上記排水口内に直接的に着水可能な流量に調整可能な流量調整手段を有する。
このように構成された本発明においては、吐水口から吐水される洗浄水の流量について前側ボウル面に着水可能な流量から排水口内に直接的に着水可能な流量に調整可能な流量調整手段をさらに有することにより、吐水口から吐水された洗浄水について前側ボウル面に着水させるような流量から、排水口内に直接的に着水させるような流量に調整することができる。
特に、吐水を排水口内に直接的に着水させた場合には、ボウル部の前側上縁を乗り越える水撥ねが生ずることをより確実に抑制することができる。
また、例えば、高い給水圧下で吐水を前側ボウル面に着水させる初期設定をしている場合には、その後、流量調整手段により低水圧側に流量を調整することにより、水勢を弱めた吐水を排水口内に直接的に着水させることが容易であるため、水撥ねを確実に抑制することができる。
【００１１】
本発明において、好ましくは、上記洗浄水タンクは、陶器製の外装タンクと、この外装タンク内に収容されて上記給水源から供給される洗浄水を貯水する内装タンクと、を備えており、上記手洗器は、上記外装タンクの上部に設けられた陶器製の手洗器であり、上記手洗器の排水口は、その断面の全域に亘って開放されて上記ボウル部内の洗浄水を上記内装タンク内に排出可能にするものであり、上記流量調整手段は、上記給水源と上記内装タンクとを接続する給水路に設けられた止水栓であり、この止水栓は、その開度が調整されることにより、上記給水路から上記内装タンクを介して上記スパウトに供給される洗浄水の流量を調整可能にするものである。
このように構成された本発明においては、例えば、吐水口から高水圧で吐水された洗浄水が前側ボウル面に着水する吐水状態において、給水源と内装タンクとを接続する給水路に設けられた止水栓の開度を調整することにより、洗浄水タンクの外部で確実に流量を調整することができる。
したがって、吐水口から吐水された洗浄水について前側ボウル面に着水させるような流量から、排水口内に直接的に着水させるような流量に確実に調整することができるため、ボウル部の前側上縁を乗り越える水撥ねが生ずることをより確実に抑制することができる。
【００１２】
本発明において、好ましくは、上記スパウトは、その基端から先端までの上下方向の寸法が、その前後方向の寸法よりも大きく設定されている。
このように構成された本発明においては、スパウトの基端から先端までの上下方向の寸法が、その前後方向の寸法よりも大きく設定されていることにより、スパウトの全体形状が概ね縦長で奥行が小さい形状となるため、スパウトの吐水口と開蓋状態の便蓋との間の空間や、スパウトの吐水口とボウル部の排水口との間の空間を広く確保することができる。
したがって、使用者からボウル部内に手を挿入し易いため、より効果的に手洗い性を向上させることができる。
【００１３】
本発明において、好ましくは、上記手洗器は、さらに、上記ボウル部の後側上縁の左右方向中央の後方側に上記スパウトの基端が取り付けられる取付面を形成し、
上記取付面は、その後縁から前縁に向かって所定の傾斜角度で下り傾斜する傾斜面を形成し、上記ボウル部の前側上縁は、上記取付面の前端から前方側に上記所定の傾斜角度で下り傾斜した延長面上に位置している。
このように構成された本発明においては、手洗器が、さらに、ボウル部の後側上縁の左右方向中央の後方側にスパウトの基端が取り付けられる取付面を形成し、この取付面が、その後縁から前縁に向かって所定の傾斜角度で下り傾斜する傾斜面を形成していることにより、ボウル部から取付面に水撥ねしたとしても、この水撥ねが傾斜面に沿ってボウル部内に流れ落ちるため、ボウル部の外部への水撥ねを効果的に抑制することができる。
また、ボウル部の前側上縁が、取付面の前端から前方側に所定の傾斜角度で下り傾斜した延長面上に位置しているため、ボウル部内に手を挿入し易く、かつ、水撥ねを効果的に抑制することができるボウル部の前側上縁に設定することができる。
【００１４】
本発明において、好ましくは、上記排水口から上記取付面の前端までの上記ボウル部の上下方向の寸法は、上記取付面の前端から上記スパウトの吐水口までの上下方向の寸法とほぼ同一に設定されている。
このように構成された本発明においては、手洗器の排水口からスパウトの取付面の前端までのボウル部の上下方向の寸法が、取付面の前端からスパウトの吐水口までの上下方向の寸法とほぼ同一に設定されているため、手洗器の排水口からスパウトの吐水口までの手洗空間を大きく確保することができ、手洗い性を向上させることができる。
また、ボウル部内の上下方向の寸法について大きく設定することができるため、ボウル部内から外部への水撥ねをより効果的に抑制することができる。
【００１５】
本発明において、好ましくは、上記吐水口には、この吐水口から吐水される洗浄水を整流可能にする整流部が設けられ、この整流部は、上記吐水口の下流端よりも上流側に配置されている。
このように構成された本発明においては、スパウト内に供給された洗浄水について、吐水口に設けられた整流部を通過させることにより整流化した後、吐水口の下流端から狙いの着水位置に向かって正確に吐水させることができる。
また、整流部が吐水口の下流端よりも上流側に配置されていることにより、吐水の停止後に吐水口の下流端に残水が生じ難く、表面張力による水膜も形成され難いため、次回の吐水を開始した際に吐水口において水膜が破裂する音（エアー音）を効果的に抑制することができる。
【発明の効果】
【００１６】
本発明の手洗器付き洗浄水タンク装置を備えた水洗大便器によれば、手洗い性を向上させることができると共に、水撥ねを抑制することができる。
【図面の簡単な説明】
【００１７】
【図１】本発明の一実施形態による手洗器付き洗浄水タンク装置を備えた水洗大便器の概略側面断面図であり、便蓋を開蓋した状態を示す。
【図２】本発明の一実施形態による水洗大便器の手洗器付き洗浄水タンク装置の概略構造を示す概略正面断面図である。
【図３】本発明の一実施形態による水洗大便器の手洗器付き洗浄水タンク装置の平面図である。
【図４】図１に示す本発明の一実施形態による水洗大便器の手洗器付き洗浄水タンク装置の手洗器及びスパウトの部分を拡大した部分拡大側面断面図である。
【図５】本発明の一実施形態による水洗大便器の手洗器付き洗浄水タンク装置の手洗器の手洗吐水口に組み込まれる整流部材の斜視断面図である。
【図６】本発明の一実施形態による水洗大便器の手洗器付き洗浄水タンク装置の手洗器の手洗吐水口に組み込まれた整流部材の内部において、吐水終了後の残水の様子を模式的に説明した模式図である。
【発明を実施するための形態】
【００１８】
つぎに、添付図面により、本発明の一実施形態による手洗器付き洗浄水タンク装置を備えた水洗大便器について説明する。
まず、図１は、本発明の一実施形態による手洗器付き洗浄水タンク装置を備えた水洗大便器の概略側面断面図であり、便蓋を開蓋した状態を示す。
図１に示すように、本発明の一実施形態による手洗器付き洗浄水タンク装置を備えた水洗大便器１は、陶器製の便器本体２を備えている。
この便器本体２には、汚物を受けるボウル部４と、このボウル４の後方（上流側）に形成される導水路６と、ボウル４の下部と連通するトラップ管路８がそれぞれ形成されている。
便器本体２のボウル４の上縁には、内側にオーバーハングしたリム１０が形成され、このリム１０の後方側には、導水路６から供給される洗浄水を吐水するリム吐水口１２が形成されており、このリム吐水口１２から吐水された洗浄水は、旋回しながら下降してボウル部を洗浄するようになっている。
【００１９】
なお、本実施形態では、水洗大便器１として、ボウル４内の水の落差による流水作用で汚物を押し流す、いわゆる、洗い落し式の水洗大便器１の例について説明するが、このような洗い落し式の水洗大便器に限定されず、サイホン作用を利用してボウル部内の汚物を吸い込んで排水トラップ管路から一気に外部に排出する、いわゆる、サイホン式の水洗大便器等の他のタイプの水洗大便器にも適用可能である。
【００２０】
つぎに、図１に示すように、便器本体２の上面には、便座１４及び便蓋１６がそれぞれ回動可能に取り付けられている。
また、便座１４及び便蓋１６に対して後方の便器本体２の上面には、便器洗浄用の洗浄水を便器本体２の導水路６に供給する手洗器付き洗浄水タンク装置１８が設けられている。
【００２１】
つぎに、図１及び図２により、手洗器付き洗浄水タンク装置１８の概略構造について説明する。
図２は、本発明の一実施形態による水洗大便器の手洗器付き洗浄水タンク装置の概略構造を示す概略正面断面図である。
まず、図１及び図２に示すように、手洗器付き洗浄水タンク装置１８は、洗浄水タンクとして、陶器製の外装タンク２０と、この外装タンク２０内に収容された内装タンク２２とを備えている。この内装タンク２２は、図１及び図２に示すように、水道等の給水源（２６に接続されている給水管２４から供給される便器洗浄用の洗浄水を貯水する実質的な貯水タンクとして機能するようになっている。
また、図１及び図２に示すように、外装タンク２０の上部には、手洗器２８が設けられており、この手洗器２８には、詳細は後述するスパウト３０が設けられている。このスパウト３０の上流側に接続される手洗給水管３２は、その上流側が内装タンク２２内の給水装置３４に接続されている。
ここで、手洗器付き洗浄水タンク装置１８の給水装置３４は、給水管２４から供給された洗浄水の大半について内装タンク２２内に給水すると共に、給水管２４から供給された洗浄水の一部について手洗給水管３２を経てスパウト３０に供給するようになっている。
そして、給水装置３４から手洗給水管３２を経てスパウト３０に供給された洗浄水は、手洗吐水口３６から手洗器２８のボウル部（手洗ボウル３８）内に吐水されて、手洗器２８における手洗いに利用されるようになっている。
さらに、図１及び図２に示すように、手洗ボウル３８の底部には、手洗排水口４０が上下方向に貫くように形成されている。これにより、手洗ボウル３８内の洗浄水は、内装タンク２２内に排出されて、給水装置３４から貯水タンク２２内に直接的に給水された洗浄水と共に、便器洗浄に利用されるようになっている。
【００２２】
つぎに、図１及び図２に示すように、外装タンク２０及び内装タンク２２の底面には、上述した便器本体２の導水路６に連通するタンク排水口４２が上下方向に貫くように形成されている。
また、図２に示すように、タンク排水口４２の上縁には、弁座４４が形成されており、この弁座４４には、内装タンク２２内の排水弁装置４６の排水弁体４８が接触可能に設けられている。
すなわち、手洗器付き洗浄水タンク装置１８の排水弁装置４６は、排水弁体４８の上下動によりタンク排水口４２が開閉されるようになっている。
さらに、図２に示すように、洗浄水タンク装置１８は、排水弁装置４６を操作するための操作装置５０を備えている。
なお、上述した手洗器付き洗浄水タンク装置１８の給水装置３４、排水弁装置４６、及び操作装置５０のそれぞれの構造については、従来のものと同様のものであるため、具体的な説明は省略する。
また、本実施形態では、操作装置５０の操作により、大洗浄、小洗浄、及び、エコ小洗浄の３種類の大中小の洗浄水量のうちのいずれかの洗浄水量を適宜選択して便器洗浄を行うことができる構造になっているが、大洗浄のみで便器洗浄を行うものであってもよいし、大洗浄及び小洗浄の２種類の洗浄水量で便器洗浄を行うものであってもよい。
【００２３】
つぎに、図２〜図４を参照して、手洗器付き洗浄水タンク装置１８の手洗器２８及びスパウト３０の具体的な構造について説明する。
図３は、本発明の一実施形態による水洗大便器の手洗器付き洗浄水タンク装置の平面図であり、図４は、図１に示す本発明の一実施形態による水洗大便器の手洗器付き洗浄水タンク装置の手洗器及びスパウトの部分を拡大した部分拡大側面断面図である。
まず、図２〜図４に示すように、スパウト３０は、手洗器２８の手洗ボウル３８よりも後方に位置する基端３０ａから上方且つ前方に延びた後、その先端３０ｂに形成された手洗吐水口３６から手洗ボウル３８内のボウル面に吐水可能である。
つぎに、図４に示すように、手洗ボウル３８の前側上縁３８ａは、スパウト３６の基端３０ａよりも低い位置に設定されている。これにより、手洗器付き洗浄水タンク装置１８よりも前方の使用者から手洗ボウル３８内に手を挿入し易い構造になっている。
また、図３及び図４に示すように、手洗ボウル３８のボウル面Ｂは、手洗排水口４０の中心Ｏ１を通る中心軸線Ｃ１よりも前側領域に形成される前側ボウル面Ｂ１を備えている。
そして、図３及び図４に示すように、手洗吐水口３６は、その中心軸線Ｃ２が前側ボウル面Ｂ１上の交点Ｐ１で交わるように設定されている。これにより、手洗吐水口３６から前方且つ下方へ吐水された洗浄水が前側ボウル面Ｂ１内の着水領域Ａ１（図３参照）に着水可能となっているため、手洗ボウル３８内に挿入した手が洗い易い構造になっている。
さらに、手洗吐水口３６から前方且つ下方へ吐水された洗浄水について、手洗ボウル３８の上限水位を定める手洗ボウル３８の前側上縁３８ａ（いわゆる「溢れ縁」）に近い前側ボウル面Ｂ１内の着水領域Ａ１に着水させることにより、この着水後の水撥ねが手洗ボウル３８の前側上縁３８ａを乗り越えることを効果的に抑制することができる構造になっている。
特に、給水源２６から給水される給水圧自体が低く、手洗給水管３２からスパウト３０に供給される洗浄水の水圧も低い環境下であっても、手洗吐水口３６からの吐水が手洗ボウル３８のボウル面Ｂの手洗排水口４０の中心軸線Ｃ１よりも後側領域の後側ボウル面Ｂ２に着水することを抑制することができるため、手洗ボウル３８の前側上縁３８ａを乗り越えるような水撥ねが生ずることを確実に抑制することができる構造になっている。
【００２４】
つぎに、図４に示すように、手洗吐水口３６は、開蓋状態の便蓋１６の上端１６ａの位置よりも上方に位置している。これにより、便蓋１６が開蓋状態であっても、手洗器付き洗浄水タンク装置１８よりも前方の使用者から手洗ボウル３８内に手を挿入し易い構造になっている。
【００２５】
つぎに、図３に示すように、手洗排水口４０は、手洗ボウル３８の底部の左右方向の中心に形成されていると共に、手洗吐水口３６は、手洗排水口４０の中心Ｏ１よりも後方且つ上方に位置している。
また、図３に示すように、手洗ボウル３８は、平面視における前側ボウル面Ｂ１の大きさ（面積）が後側ボウル面Ｂ２の大きさ（面積）よりも大きくなるように設定されている。
これらにより、手洗器付き洗浄水タンク装置１８よりも前方の使用者から手洗ボウル３８内に手を挿入し易い構造になっている。
さらに、手洗吐水口３６から吐水された洗浄水を前側ボウル面３８ａに確実に着水させることができるため、手洗ボウル３８の前側上縁３８ａを乗り越えるような水撥ねが生ずることを効果的に抑制することができる構造になっている。
【００２６】
つぎに、図４に示すように、前側ボウル面Ｂ１は、手洗ボウル３８の前側上縁３８ａから下方且つ後方の手洗排水口４０まで第１曲面Ｒ１を形成している。
また、図４に示すように、後側ボウル面Ｂ２は、手洗ボウル３８の後側上縁３８ｂから下方且つ前方に延びた後壁面Ｗ１を形成すると共に、この後壁面Ｗ１の下端から手洗排水口４０まで第２曲面Ｒ２を形成している。
さらに、図４に示すように、前側ボウル面Ｂ１の第１曲面Ｒ１の立面視における曲率半径ρ１は、後側ボウル面Ｂ２の第２曲面Ｒ２の立面視における曲率半径ρ２よりも大きく設定されている。
これらにより、手洗吐水口３６から吐水された洗浄水が前側ボウル面Ｂ１の着水領域Ａ１内に着水した際に、手洗ボウル３８の前側上縁３８ａを乗り越えるような水撥ねが生ずることをより効果的に抑制することができる構造になっている。
【００２７】
つぎに、図４に示すように、スパウト３０は、その基端３０ａから先端３０ｂまでの上下方向の寸法Ｈ１が、その前後方向の寸法Ｌ１よりも大きく設定されている。
これにより、スパウト３０の全体形状が比較的概ね縦長で奥行が小さい形状となるため、手洗吐水口３６と開蓋状態の便蓋１６との間の空間や、手洗吐水口３６と手洗排水口４０との間の空間を広く確保することができ、使用者から手洗ボウル３８内に手を挿入し易い構造になっている。
【００２８】
つぎに、図３及び図４に示すように、手洗器２８は、さらに、手洗ボウル３８の後側上縁３８ｂの左右方向中央の後方側にスパウト３０の基端３０ａが取り付けられる取付面５２を形成している。
また、図３及び図４に示すように、取付面５２は、その後縁５２ａから前縁５２ｂに向かって所定の傾斜角度αで下り傾斜する傾斜面Ｓ１を形成している。そして、手洗ボウル３８の前側上縁３８ａは、この傾斜面Ｓ１について取付面５２の前端５２ｂから前方側に所定の傾斜角度αで下り傾斜させて延長した面（延長面Ｓ２）上に位置している。
これにより、手洗ボウル３８内から後方側の取付面５２上に水撥ねしたとしても、この水撥ねが取付面５０の傾斜面Ｓ１に沿って手洗ボウル３８内に流れ落ちるため、手洗ボウル３８の外部への水撥ねを効果的に抑制することができる構造になっている。
さらに、手洗ボウル３８の前側上縁３８ａが、取付面５２の前端５２ｂから前方側に所定の傾斜角度αで下り傾斜した延長面Ｓ２上に位置しているため、手洗ボウル３８内に手を挿入し易く、かつ、水撥ねを効果的に抑制することができる手洗ボウル３８の前側上縁３８ａ（溢れ縁）に設定された構造になっている。
【００２９】
つぎに、図４に示すように、手洗排水口４０の上縁から取付面５２の前端５２までの手洗ボウル３８の上下方向の寸法Ｈ２は、取付面５２の前端５２ａから手洗吐水口３６までの上下方向の寸法Ｈ３とほぼ同一に設定されている。
これにより、手洗ボウル３８の上端から手洗吐水口３６までの上下方向の寸法Ｈ２を比較的大きく設定することができ、手洗排水口４０から手洗吐水口３６までの上下方向の手洗空間を大きく確保することができる構造になっている。
また、手洗ボウル３８内の上下方向の寸法Ｈ２についても大きく設定することができるため、手洗ボウル３８内から外部への水撥ねをより効果的に抑制することができる構造になっている。
【００３０】
つぎに、図１及び図３に示すように、本実施形態の水洗大便器１においては、手洗器付き洗浄水タンク装置１８の手洗吐水口３６から吐水される洗浄水の流量について調整可能な流量調整手段として、手洗器付き洗浄水タンク装置１８の上流側の給水路（給水管２４）の途中に設けられた止水栓５４を備えている。
これにより、手洗吐水口３６から吐水される洗浄水の流量Ｑについては、手洗器付き洗浄水タンク装置１８の下方の外部に設けられた止水栓５４の開度を調整することにより、前側ボウル面Ｂ１の着水領域Ａ１内に着水可能な比較的高い流量Ｑ１から、手洗排水口４０内に直接的に着水可能な比較的低い流量Ｑ２（＜Ｑ１）に確実に調整可能となっている。
特に、手洗吐水口３６からの吐水を手洗排水口４０内に直接的に着水させた場合には、手洗ボウル３８の前側上縁３８ａを乗り越える水撥ねが生ずることをより確実に抑制することができるようになっている。
さらに、例えば、高い給水圧下で手洗吐水口３６からの吐水を前側ボウル面Ｂ１の着水領域Ａ１に着水させる初期設定をした場合には、その後、止水栓５４により低水圧側に流量を調整することにより水勢を弱めて手洗排水口４０内に直接的に着水させることが容易であるため、水撥ねを確実に抑制することができるようになっている。
【００３１】
なお、本実施形態の水洗大便器１においては、手洗吐水口３６から吐水される洗浄水の流量について調整可能な流量調整手段として、手洗器付き洗浄水タンク装置１８の下方の外部に設けられた止水栓５４を採用した形態について説明するが、このような形態に限られず、他の形態についても適用可能である。
例えば、止水栓５４以外の流量調整手段の他の形態として、給水装置３４とスパウト３０とを接続する手洗給水管３２の途中等に、流量調整弁等を設けてもよい。
【００３２】
つぎに、図４に示すように、手洗吐水口３６内には、この手洗吐水口３６から吐水される洗浄水を整流可能にする整流部として整流部材５６が設けられている。
以下、図４〜図６を参照して、整流部材５６について具体的に説明する。
図５は、本発明の一実施形態による水洗大便器の手洗器付き洗浄水タンク装置の手洗器の手洗吐水口に組み込まれる整流部材の斜視断面図である。
【００３３】
まず、図４及び図５に示すように、整流部材５６は、全体が概ね円筒形状となっており、手洗吐水口に組み込まれた状態では、整流部材５６の中心軸線が手洗吐水口３６の中心軸線Ｃ２と一致している。
また、図４及び図５に示すように、この整流部材５６の内部の上流（上方）側には、スパウト３０内の通水路３０ｃと連通する単一の通水路５８（上流側通水路５８）が直径Ｄ１で円筒状に形成されている。すなわち、この整流部材５６の上流側通水路５８の直径Ｄ１は、実質的には、整流部材５６の最大の内径にも相当している。
そして、図５に示すように、整流部材５６の内部の上流側通水路５８の下流側には、単一の内側整流孔６０が中心軸線Ｃ１を中心に直径Ｄ２（＜Ｄ１）で円筒状に形成されている。
さらに、図５に示すように、内側整流孔６０に対して半径方向外側には、複数の外側整流孔６２が形成されており、各外側整流孔６２は、整流部材５６の中心軸線Ｃ１に対して互いに対称に放射状に配列されている。
また、これらの整流孔６０，６２の下流側には、単一の下流側通水路６４が形成されており、下流側通水路６４の下流端（下端）には、中心軸線Ｃ１を中心に所定の直径Ｄ３の通水口６６が形成されている。
ここで、整流部材５６の下端面５６ａ及び通水口６６は、手洗吐水口３６の下流端（下端）とほぼ面一となっており、整流部材５６の下流側通水路６４及び通水口６６の直径Ｄ３は、実質的な手洗吐水口３６の下流端の直径に相当している。
これにより、整流部材５６の下側内周縁５６ｂは、実質的には、手洗吐水口３６の下側口縁を形成している。
【００３４】
なお、整流部材５６の各整流孔６０，６２及びこれらを形成する立壁６８の中心軸線Ｃ１方向の所定長さｄ１（例えば、ｄ１＝２．５ｍｍ）は、下流側通水路６４の中心軸線Ｃ１方向の所定の長さｄ２（例えば、ｄ２＝２．０ｍｍ）よりも長く設定（ｄ１＞ｄ２）されているが、整流部材５６の各整流孔６０，６２の下流端（下端）が手洗吐水口３６の下流端（下端）に相当する通水口６６よりも上流側（上側）に配置されている。
また、整流部材５６の下流側通水路６４の直径Ｄ３は、内側整流孔６０の直径Ｄ２よりも大きく、上流側通水路５８の直径Ｄ１よりも小さく設定されている。
これらにより、図４に示すように、手洗給水管３２からスパウト３０の通水路３０ｃ内に流入した洗浄水は、手洗吐水口３６に向かって上昇し、整流部材５６の内部の上流側通水路５８内に流入するようになっている。
そして、図５に示すように、上流側通水路５８の洗浄水は、各整流孔６０，６２をそれぞれ通過することにより整流化され、下流側通水路６４を通過して、手洗吐水口３６の下流端に相当する通水口６６から、手洗吐水が狙いの前側ボウル面Ｂ１の着水領域Ａ１内の着水位置に向かって正確に吐水されるようになっている。
【００３５】
つぎに、図６は、本発明の一実施形態による水洗大便器の手洗器付き洗浄水タンク装置の手洗器の手洗吐水口に組み込まれた整流部材の内部において、吐水終了後の残水の様子を模式的に説明した模式図である。
図５及び図６に示すように、整流部材５６の各整流孔６０，６２の下流端（下端）は、手洗吐水口３６の下流端に相当する通水口６６よりも上流側に配置されているため、手洗吐水の停止後においても、下流側通水路６４や手洗吐水口３６の下流端に相当する通水口６６に残水が生じ難く、表面張力による水膜も形成され難い構造となっている。
より具体的に説明すると、図５及び図６に示すように、整流部材５６の内部には、各整流孔６０，６２を形成する立壁６８が設けられていることに加えて、手洗吐水口３６の中心軸線Ｃ２が鉛直方向に延びる軸線に対して傾いているため、整流部材５６全体が傾いている。これにより、手洗吐水の停止後に整流部材５６の内部の上流側通水路５８や各整流孔６０，６２に一時的な残水ｗ０が生じたとしても、立壁６８に沿って下方に誘導されて、手洗ボウル３８内に流れ落ちることになる。
また、仮に、例えば、立壁６８の下流端（下端）を手洗吐水口３６の下流端（下端）の通水口６６まで延ばして設定する等、立壁６８自体の長手方向の長さについて長く設定し過ぎると、手洗吐水が低流量時に残水が立壁６８に引っ張られて整流部材５６の内部の上流側通水路５８や各整流孔６０，６２に水膜が形成される恐れがある。
しかしながら、本実施形態では、整流部材５６の各整流孔６０，６２の下流端（下端）が手洗吐水口３６の下流端（下端）に相当する通水口６６よりも上流側（上側）に配置されていることにより、整流部材５６の内部に水膜が形成され難いため、残水ｗ０を立壁６８に沿って下方に速やかに誘導して、手洗ボウル３８内に流れ落とすことができる構造になっている。
よって、次回の手洗吐水を開始した際にも、手洗吐水口３６内において水膜が破裂する音（エアー音）を効果的に抑制することができる構造になっている。
【００３６】
つぎに、図１〜図６を参照して、上述した本発明の一実施形態による手洗器付き洗浄水タンク装置１８を備えた水洗大便器１の作用効果について説明する。
まず、上述した本発明の一実施形態による手洗器付き洗浄水タンク装置１８を備えた水洗大便器１によれば、手洗器２８の手洗ボウル３８の前側上縁３８ａが、スパウト３０の基端３０ａよりも低い位置に設定されていることにより、手洗器付き洗浄水タンク装置１８よりも前方の使用者から手洗ボウル３８内に手を挿入し易いため、手洗い性を向上させることができる。
また、手洗吐水口３６の中心軸線Ｃ２が前側ボウル面Ｂ１で交わるように設定されていることにより、手洗吐水口３６から前方且つ下方へ吐水された洗浄水が、ボウル面Ｂにおける手洗排水口４０の中心Ｏ１よりも前側領域に形成される前側ボウル面Ｂ１に着水可能であるため、手洗ボウル３８内に挿入した手が洗い易く、手洗い性を向上させることができる。
さらに、手洗吐水口３６から前方且つ下方へ吐水された洗浄水について、手洗ボウル３８の上限水位を定める手洗ボウル３８の前側上縁３８ａ（いわゆる「溢れ縁」）に近い前側ボウル面Ｂ１に着水させることにより、この着水後の水撥ねが手洗ボウル３８の前側上縁３８ａを乗り越えることを効果的に抑制することができる。
特に、手洗給水管３２からスパウト３０に供給される洗浄水の水圧が低い環境下であっても、手洗吐水がボウル面Ｂの手洗排水口４０の中心Ｏ１よりも後側の領域（後側ボウル面Ｂ２）に着水することを抑制することができるため、手洗ボウル３８の前側上縁３８ａを乗り越えるような水撥ねが生ずることを確実に抑制することができる。
【００３７】
つぎに、本実施形態による手洗器付き洗浄水タンク装置１８を備えた水洗大便器１によれば、手洗吐水口３６が、開蓋状態の便蓋１６の上端位置よりも上方に位置しているため、便蓋１６が開蓋状態であっても、手洗器付き洗浄水タンク装置１８よりも前方の使用者から手洗ボウル３８内に手を挿入し易いため、効果的に手洗い性を向上させることができる。
【００３８】
また、本実施形態による手洗器付き洗浄水タンク装置１８を備えた水洗大便器１によれば、手洗排水口４０が手洗ボウル３８の底部の左右方向の中心に形成されていると共に、手洗吐水口３６が手洗排水口４０の中心Ｏ１よりも後方且つ上方に位置しており、さらに、手洗ボウル３８の平面視において、前側ボウル面Ｂ１の大きさ（面積）が後側ボウル面Ｂ２の大きさ（面積）よりも大きくなるように設定されているため、手洗器付き洗浄水タンク装置１８よりも前方の使用者から手洗ボウル３８内に手を挿入し易く、より効果的に手洗い性を向上させることができる。
また、手洗吐水口３６から吐水された洗浄水を前側ボウル面Ｂ１に確実に着水させることができるため、手洗ボウル３８の前側上縁３８ａを乗り越えるような水撥ねが生ずることを効果的に抑制することができる。
【００３９】
さらに、本実施形態による手洗器付き洗浄水タンク装置１８を備えた水洗大便器１によれば、前側ボウル面Ｂ１が手洗ボウル３８の前側上縁３８ａから下方且つ後方の手洗排水口４０まで第１曲面Ｒ１を形成し、後側ボウル面Ｂ２が手洗ボウル３８の後側上縁３８ｂから下方且つ前方に延びた後壁面Ｗ１を形成すると共に、この後壁面Ｗ１の下端から手洗排水口３８まで第２曲面Ｒ２を形成し、第１曲面Ｒ１の立面視における曲率半径ρ１が第２曲面Ｒ２の立面視における曲率半径ρ２よりも大きく設定されているため、手洗吐水口３６から吐水された洗浄水が前側ボウル面Ｂ１の着水領域Ａ１内に着水した際に、手洗ボウル３８の前側上縁３８ａを乗り越えるような水撥ねが生ずることをより効果的に抑制することができる。
【００４０】
つぎに、本実施形態による手洗器付き洗浄水タンク装置１８を備えた水洗大便器１によれば、手洗吐水の流量調整手段として、手洗器付き洗浄水タンク装置１８の上流側の給水管２４の途中に設けられた止水栓５４を備えていることにより、手洗吐水口３６から吐水された洗浄水について前側ボウル面Ｂ１に着水させるような流量Ｑ１から、手洗排水口４０内に直接的に着水させるような流量Ｑ２に調整することができる。
特に、手洗吐水を手洗排水口４０内に直接的に着水させた場合には、手洗ボウル３８の前側上縁３８ａを乗り越える水撥ねが生ずることをより確実に抑制することができる。
また、例えば、高い給水圧下で手洗吐水を前側ボウル面Ｂ１に着水させる初期設定をしている場合には、その後、止水栓５４の開度を調整して低水圧側に流量を調整することにより、水勢を弱めた手洗吐水を手洗排水口３６内に直接的に着水させることが容易であるため、水撥ねを確実に抑制することができる。
【００４１】
また、本実施形態による手洗器付き洗浄水タンク装置１８を備えた水洗大便器１によれば、例えば、手洗吐水口３６から高水圧で吐水された洗浄水が前側ボウル面Ｂ１に着水する吐水状態において、給水源２６と内装タンク２２とを接続する給水路（給水管２４）に設けられた止水栓５４の開度を調整することにより、手洗器付き洗浄水タンク装置１８の外部で確実に流量を調整することができる。
したがって、手洗吐水口３６から吐水された洗浄水について前側ボウル面Ｂ１に着水させるような流量Ｑ１から、手洗排水口４０内に直接的に着水させるような流量Ｑ２に確実に調整することができるため、手洗ボウル３８の前側上縁３８ａを乗り越える水撥ねが生ずることをより確実に抑制することができる。
【００４２】
さらに、手洗器付き洗浄水タンク装置１８を備えた水洗大便器１によれば、スパウト３０の基端３０ａから先端３０ｂまでの上下方向の寸法Ｈ１が、その前後方向の寸法Ｌ１よりも大きく設定（Ｈ１＞Ｌ１）されていることにより、スパウト３０の全体形状が概ね縦長で奥行が小さい形状となるため、手洗吐水口３０と開蓋状態の便蓋１６との間の空間や、手洗吐水口３６と手洗排水口４０との間の空間を広く確保することができる。
したがって、使用者から手洗ボウル３８内に手を挿入し易いため、より効果的に手洗い性を向上させることができる。
【００４３】
また、手洗器付き洗浄水タンク装置１８を備えた水洗大便器１によれば、手洗器２８が、さらに、手洗ボウル３８の後側上縁３８ｂの左右方向中央の後方側にスパウト３０の基端３０ａが取り付けられる取付面５２を形成し、この取付面５２が、その後縁５２ａから前縁５２ｂに向かって所定の傾斜角度αで下り傾斜する傾斜面Ｓ１を形成している。これにより、手洗ボウル３８から取付面５２に水撥ねしたとしても、この水撥ねが傾斜面Ｓ１に沿って手洗ボウル３８内に流れ落ちるため、手洗ボウル３８の外部への水撥ねを効果的に抑制することができる。
また、手洗ボウル３８の前側上縁３８ａが、取付面５２の前端５２ｂから前方側に所定の傾斜角度αで下り傾斜した延長面Ｓ２上に位置しているため、手洗ボウル３８内に手を挿入し易く、かつ、水撥ねを効果的に抑制することができる手洗ボウル３８の前側上縁３８ａに設定することができる。
【００４４】
さらに、手洗器付き洗浄水タンク装置１８を備えた水洗大便器１によれば、手洗器２８の手洗排水口４０の上縁から取付面５２の前端５２までの手洗ボウル３８の上下方向の寸法Ｈ２が、取付面５２の前端５２ａから手洗吐水口３６までの上下方向の寸法Ｈ３とほぼ同一に設定されているため、手洗器２８の手洗排水口４０から手洗吐水口３６までの手洗空間を大きく確保することができ、手洗い性を向上させることができる。
また、手洗ボウル３８内の上下方向の寸法Ｈ２についても大きく設定することもできるため、手洗ボウル３８内から外部への水撥ねをより効果的に抑制することができる。
【００４５】
また、本実施形態による手洗器付き洗浄水タンク装置１８を備えた水洗大便器１によれば、スパウト３０の通水路３０ｃ内に供給された洗浄水について、手洗吐水口３６内に設けられた整流部材５６を通過させることにより整流化した後、手洗吐水口３６の下流端に相当する通水口６６から狙いの前側ボウル面Ｂ１の着水領域Ａ１内の着水位置に向かって正確に吐水させることができる。
また、整流部材５６の内部の整流孔６０，６２及び立壁６８が、手洗吐水口３６の下流端（通水口６６）よりも上流側に配置されていることにより、手洗吐水の停止後に、整流部材５６の内部の上流側通水路５８、各整流孔６０，６２、下流側通水路６４、手洗吐水口３６の下流端（通水口６６）に残水が生じ難く（溜り難く）、表面張力による水膜も形成され難い。したがって、次回の吐水を開始した際に吐水口において水膜が破裂する音（エアー音）を効果的に抑制することができる。
【符号の説明】
【００４６】
１      水洗大便器
２      便器本体
４      ボウル
６      導水路
８      トラップ管路
１０      リム
１２      リム吐水口
１４      便座
１６      便蓋
１６ａ    開蓋状態の便蓋の上端
１８      手洗器付き洗浄水タンク装置
２０      外装タンク
２２      内装タンク
２４      給水管（給水路）
２６      給水源
２８      手洗器
３０      スパウト
３０ａ    スパウトの基端
３０ｂ    スパウトの先端
３０ｃ    スパウト内の通水路
３２      手洗給水管
３４      給水装置
３６      手洗吐水口（スパウトの吐水口）
３８      手洗ボウル（手洗器のボウル部）
３８ａ    手洗ボウルの前側上縁（手洗器のボウル部の前側上縁）
３８ｂ    手洗ボウルの後側上縁（手洗器のボウル部の後側上縁）
４０      手洗排水口（手洗器の排水口）
４２      タンク排水口
４４      弁座
４６      排水弁装置
４８      排水弁体
５０      操作装置
５２      取付面
５２ａ    取付面の後縁
５２ｂ    取付面の前縁
５４      止水栓（流量調整手段）
５６      整流部材（整流部）
５６ａ    整流部材の下端面
５６ｂ    整流部材の下側内周縁
５８      上流側通水路
６０      内側整流孔
６２      外側整流孔
６４      下流側通水路
６６      通水口
６８      立壁
Ａ１    着水領域
Ｂ      手洗ボウルのボウル面（ボウル部のボウル面）
Ｂ１    手洗ボウルの前側ボウル面
Ｂ２    手洗ボウルの後側ボウル面
Ｃ１    手洗排水口の中心軸線（ボウル部の排水口の中心軸線）
Ｃ２    手洗吐水口の中心軸線（スパウトの吐水口の中心軸線）
Ｄ１    整流部材の上流側通水路の直径（整流部材の最大の内径）
Ｄ２    中央整流孔の直径
Ｄ３    整流部材の下流側通水路の直径（実質的な手洗吐水口の下流端の直径）
ｄ１    整流孔及び立壁の長さ
ｄ２    下流側通水路の長さ
Ｈ１    スパウトの基端から先端までの上下方向の寸法
Ｈ２    手洗排水口の上縁から取付面の前端までの手洗ボウルの上下方向の寸法
Ｈ３    取付面の前端から手洗吐水口まで上下方向の寸法
Ｌ１    スパウトの基端から先端までの前後方向の寸法
Ｏ１    手洗排水口の中心
Ｐ１    交点
Ｑ      手洗吐水口から吐水される流量［Ｌ／ｍｉｎ］
Ｑ１    手洗吐水口から吐水される流量［Ｌ／ｍｉｎ］
Ｑ２    手洗吐水口から吐水される流量［Ｌ／ｍｉｎ］
Ｒ１    前側ボウル面の第１曲面
Ｒ２    後側ボウル面の第２曲面
Ｓ１    傾斜面
Ｓ２    延長面
Ｗ１    後側ボウル面の後壁面
ｗ０    残水
α      取付面（傾斜面）の傾斜角度
ρ１    前側ボウル面の第１曲面の立面視における曲率半径
ρ２    後側ボウル面の第２曲面の立面視における曲率半径
【図１】
2018109272.tif 000003
【図２】
2018109272.tif 000004
【図３】
2018109272.tif 000005
【図４】
2018109272.tif 000006
【図５】
2018109272.tif 000007
【図６】
2018109272.tif 000008